(57)【要約】  本発明は髪染め用の櫛に関するもので、使用及び管理を容易にするために、内部に収納された髪を染めるための髪染めカンから髪染め剤を噴射して髪を染める装置であって、上部に噴射棒が安着するように、外櫛側の噴射棒安着溝が形成され、下部に向けて複数の外櫛側の櫛歯が結合される外櫛と、上部に噴射棒が安着するように内櫛側の噴射棒安着溝が形成され、下部に向けて複数の内櫛側の櫛歯が結合される内櫛、及び、内部に髪染めカンを収納することができる収納部が形成され、収納部に収納された髪染めカンの髪染め剤が噴射されるように、髪染めカンの底部分を加圧する加圧手段が一端に結合され、外櫛の外櫛側の噴射棒安着溝と内櫛の内櫛側の噴射棒安着溝に安着される噴射棒が他端に形成され、噴射棒の終端から延長して、下部に向けて髪染め剤が噴射される噴射孔が形成された噴射台が形成され、さらに、髪染め剤が噴射孔を介して噴射されるようにユーザーが操作する噴射スイッチが結合される取っ手部を含むことを特徴とする。
2009538174.tif 000002
【特許請求の範囲】
【請求項１】
上部に噴射棒が安着するように外櫛側の噴射棒安着溝が形成され、下部に向けて複数の外櫛側の櫛歯が結合される外櫛と、
内部に髪染めカンを収納することができる収納部と、
前記収納部に収納された髪染めカンの髪染め剤が噴射されるように髪染めカンを加圧する加圧手段と、
前記外櫛の噴射棒安着溝に安着されて前記髪染めカンの髪染め剤が噴射される噴射棒と、及び、
前記収納部と前記噴射棒との間に取り付けられ、前記髪染めカンに充填された髪染め剤の噴射を操作する噴射スイッチを含む取っ手部とを含むことを特徴とする、髪染め用の櫛。
【請求項２】
前記外櫛に対応する形状に形成され、上部に前記噴射棒が安着するように内櫛側の噴射棒安着溝が形成されており、下部に向けて複数の内櫛側の櫛歯が結合された内櫛をさらに含むことを特徴とする、請求項１に記載の髪染め用の櫛。
【請求項３】
前記外櫛には、前記内櫛が安着されるように安着台が形成され、前記外櫛に安着された前記内櫛を固定するために前記外櫛の一側には固定溝または固定突起が形成されており、前記内櫛には、前記固定溝または固定突起に嵌め込まれる固定突起または固定溝が形成されていることを特徴とする、請求項２に記載の髪染め用の櫛。
【請求項４】
前記噴射棒には、前記噴射棒の終端から延長して、下部に向けて髪染め剤を噴射する噴射孔が形成された噴射台が形成されていることを特徴とする、請求項２に記載の髪染め用の櫛。
【請求項５】
前記外櫛には、前記外櫛側の櫛歯終端に頭皮保護のための頭皮保護用突起が形成されていることを特徴とする、請求項４に記載の髪染め用の櫛。
【請求項６】
前記外櫛または内櫛は、前記外櫛側の櫛歯または内櫛側の櫛歯が中央に向けて傾くように結合されることを特徴とする、請求項４に記載の髪染め用の櫛。
【請求項７】
前記外櫛は、外周面上部に沿って結合されて、所定間隔で外櫛側の締結孔が形成された封止部材がさらに結合され、前記外櫛側の締結孔に対応するカバー側の締結孔が形成され、前記外櫛の上部に締結部材を介して結合される保護カバーをさらに含むことを特徴とする、請求項４に記載の髪染め用の櫛。
【請求項８】
前記外櫛は、一側に外櫛側の固定ねじ溝がさらに形成され、前記保護カバーは、前記外櫛側の固定ねじ溝に対応するカバー側の固定ねじ溝がさらに形成され、前記外櫛側の固定ねじ溝とカバー側の固定ねじ溝を取り囲む固定部材により前記外櫛と保護カバーが固定されることを特徴とする、請求項７に記載の髪染め用の櫛。
【請求項９】
前記取っ手部は、前記収納部と前記噴射スイッチとの間に髪染め剤の噴射量を調節する噴射量調節バルブがさらに結合されていることを特徴とする、請求項１〜請求項８のいずれか一項に記載の髪染め用の櫛。
【請求項１０】
前記取っ手部の加圧手段は、前記カン収納部と回折ヒンジにより結合され、カン収納部に対して回折可能に結合されるカン加圧部と、前記カン加圧部の一端に結合された締結リングと、前記カン収納部の一側に形成されて、前記締結リングが結合される締結フックと、及び、前記カン加圧部の内側面に結合されて、前記髪染めカンの底を加圧する弾性部材と、を含むことを特徴とする、請求項１〜請求項８のいずれか一項に記載の髪染め用の櫛。
【請求項１１】
前記取っ手部の加圧手段は、前記カン収納部の外周一端に形成された収納部側の締結ねじ溝と、及び、前記収納部側の締結ねじ溝に対応する加圧側の締結ねじ溝が内周一端に形成され、内側面に結合され前記髪染めカンの底部を加圧する弾性部材が結合されるカン加圧本体と、を含むことを特徴とする、請求項１〜請求項８のいずれか一項に記載の髪染め用の櫛。
【発明の詳細な説明】
【技術分野】
【０００１】
本発明は、髪染め用の櫛に関し、より詳細には、使用及び管理が容易な髪染め用の櫛に関するものである。
【背景技術】
【０００２】
髪染めは、若白髪や白髪を隠すための機能的な用途、あるいは所望のヘアカラーやスタイルの演出のための美容的な目的で広く使用されている。
【０００３】
通常、このような様々な目的のための髪染めは、美容室や理髪店等で専門的な髪染め業者が行っている。しかし、このような専門的な施術は、高い費用がかかるので、家庭で自分で髪を染める人が増えるようになった。
【０００４】
家で自分で髪を染めるための第１段階は、パウダー状の髪染め剤、髪染め剤を入れるための容器、及び髪染め剤をヘアに付けるための櫛を用意する。第２段階は、髪染め剤を容器に入れる。第３段階は、髪染め剤に水を加えて髪染め剤を均等に練る。第４段階は、櫛に髪染め剤をのせて後ろ髪からムラなく塗る。
【０００５】
以上の段階により家で自分で髪染めが可能であるが、髪染めのためには容器と櫛を用意する必要があり、使用後の容器や櫛は、髪染め剤がついているので他の用途に使用できなくなる。
【０００６】
また、第３段階において、髪染め剤に水を加えて均等に練る際、髪染め剤が練り難くい等、準備時間が長くかかるという問題点があった。
【０００７】
このような問題を解決するために、パウダー状の髪染め剤を代替した液状の髪染め剤が提案された。しかし、このような液状の髪染め剤も髪染めのために容器と櫛を必要とし、その準備が面倒で、利便性に欠けるという問題点があった。
【発明の概要】
【発明が解決しようとする課題】
【０００８】
そこで、本発明は上記従来の問題点に鑑みてなされたものであって、本発明の目的は、髪染めに必要な道具を一体化することにより、使用が便利な髪染め用の櫛を提供することである。
【０００９】
本発明の他の目的は、結合及び分離が簡単で、掃除等のメンテナンスが容易な髪染め用の櫛を提供することである。
【課題を解決するための手段】
【００１０】
上記目的を達成するためになされた本発明による髪染め用の櫛は、上部に噴射棒が安着するように外櫛側の噴射棒安着溝が形成され、下部に向けて複数の外櫛側の櫛歯が結合される外櫛と、内部に髪染めカンを収納することができる収納部と、前記収納部に収納された髪染めカンの髪染め剤が噴射するために髪染めカンを加圧する加圧手段と、前記外櫛の噴射棒安着溝に安着されて前記髪染めカンの髪染め剤が噴射される噴射棒と、及び、前記収納部と前記噴射棒との間に取り付けられ、前記髪染めカンに充填された髪染め剤の噴射を操作する噴射スイッチを含む取っ手部とを含むことを特徴とする。
【００１１】
本発明において、前記外櫛に対応する形状に形成されて、上部に前記噴射棒が安着されるように内櫛側の噴射棒安着溝が形成されており、下部に向けて複数の内櫛側の櫛歯が結合される内櫛をさらに含むことを特徴とする。
【００１２】
本発明において、前記外櫛には前記内櫛が安着されるように安着台が形成されており、前記外櫛に安着された前記内櫛を固定させるために、前記外櫛の一側には固定溝または固定突起が形成されており、前記内櫛には、前記固定溝または固定突起に嵌め込まれる固定突起または固定溝が形成されることを特徴とする。
【００１３】
本発明の前記噴射棒には、前記噴射棒の終端から延長して、下部に向けて髪染め剤が噴射される噴射孔を有する噴射台が形成されることを特徴とする。
【００１４】
本発明の前記外櫛は、前記外櫛側の櫛歯終端に頭皮を保護するための頭皮保護用突起がさらに形成されることを特徴とする。
【００１５】
本発明の前記外櫛及び内櫛は、前記外櫛側の櫛歯及び内櫛側の櫛歯が中央に向けて傾くように結合されることを特徴とする。
【００１６】
本発明において、前記外櫛は、外周面上部に沿って結合されており、所定間隔に外櫛側の締結孔が形成された封止部材がさらに結合され、前記外櫛側の締結孔に対応するカバー側の締結孔が形成され、前記外櫛の上部に締結部材を介して結合される保護カバーをさらに含むことを特徴とする。
【００１７】
本発明において、前記外櫛は、一側に外櫛側の固定ねじ溝がさらに形成され、前記保護カバーは、前記外櫛側の固定ねじ溝に対応するカバー側の固定ねじ溝がさらに形成され、前記外櫛側の固定ねじ溝とカバー側の固定ねじ溝を取り囲む固定部材により前記外櫛と保護カバーが固定されることができる。
【００１８】
本発明において、前記取っ手部には、前記収納部と前記噴射スイッチとの間に髪染め剤の噴射量を調節する噴射量調節バルブがさらに結合されることを特徴とする。
【００１９】
本発明において、前記取っ手部の加圧手段は、前記カン収納部と回折ヒンジにより結合され、カン収納部に対して回折可能に結合されているカン加圧部、前記カン加圧部の一端に結合されている締結リング、前記カン収納部の一側に形成されて、前記締結リングが結合される締結フック、及び、前記カン加圧部の内側面に結合されて前記髪染めカンの底部を加圧する弾性部材を含むことを特徴とする。
【００２０】
また、本発明において、前記取っ手部の加圧手段は、前記カン収納部の外周一端に形成される収納部側の締結ねじ溝、及び、前記収納部側の締結ねじ溝に対応する加圧側の締結ねじ溝が内周一端に形成され、内側面に結合され、前記髪染めカンの底部を加圧する弾性部材が結合されたカン加圧本体を含むことを特徴とする。
【発明の効果】
【００２１】
上記のように、本発明によれば、組み立て及び分解が簡単で、掃除や部品交換が容易な髪染め用の櫛を提供することができる。
【００２２】
また、本発明によれば、髪染め剤を入れるための容器を用意する必要がなく、髪染め剤を混合する必要のない髪染め用の櫛を提供することができる。
【００２３】
すなわち、本発明によれば、外櫛側の噴射棒安着溝、外櫛に対応する形状の内櫛側の噴射棒安着溝が形成されて、外櫛と内櫛等の構成により、分解及び組み立てが可能な櫛を提供することで、分解して内部掃除ができるようにした髪染め用の櫛を提供することができる。
【００２４】
特に、櫛は内櫛と外櫛で構成されており、内櫛が外櫛から分離されるように構成され、使用中には外櫛と内櫛の櫛歯が４重になり、ムラなく染めることができ、使用後には、容易に分離することができ、櫛についた髪染め剤を簡単に除去できるという効果がある。
【００２５】
また、内櫛と外櫛及び取っ手部の分離が可能で、内櫛または外櫛の一部が損傷した場合、その損傷した部分のみ交換して使用することができると同時に、ユーザーの髪の長さや量に応じて様々な規格の内櫛と外櫛を組み立てて使用することができ、ユーザーの要求に応じて選択して使用可能な髪染め用の櫛を提供することができる。
【００２６】
また、取っ手部は、髪染めカンを収納する収納部と、髪染めカンを加圧する加圧手段を含み、髪染めカンだけを交換して収納部に収納して使用することができ、半永久的な使用が可能で、かつ色々な髪染め剤を使用することができる。
【００２７】
また、取っ手部には、髪染めカンに充填された髪染め剤の噴射を操作する噴射スイッチが含まれており、スイッチを押して髪染め剤を噴射して使用することができる。
【００２８】
一方、外櫛には内櫛が安着されるように安着台が形成され、特に、外櫛に固定溝または固定突起が、内櫛にはこれに対応する固定突起または固定溝が形成されて固定されるので、櫛の使用中に外櫛に安着された内櫛が勝手に動くのを防止することができる。
【００２９】
また、噴射棒には噴射棒の終端から延長して、下部に向けて髪染め剤が噴射される噴射孔を有する噴射台が形成され、髪染め櫛の長さに沿って均等に髪染め剤を噴射することができる。
【００３０】
また、外櫛には、外櫛側の櫛歯終端に頭皮を保護するための頭皮保護用突起がさらに形成され、髪染め剤が頭皮に入って地肌に髪染め剤が直接つくのを防止し、頭皮が損傷するのを防止することができる。
【００３１】
また、外櫛側の櫛歯または内櫛側の櫛歯が中央に向けて傾くように結合され、噴射された髪染め剤が外部に流れることなく、三角空間が形成された部分に集まるようにし、使用時にのみ頭髪に投入することができる。
【００３２】
また、本発明によれば、封止部材が結合されていて髪染め剤が櫛外部に漏れるのを防止することができる。
【００３３】
また、外櫛側の固定ねじ溝、固定カバー側の固定ねじ溝、及び固定部材により前記外櫛と保護カバーとを堅固に固定することができる。
【００３４】
前記取っ手部には噴射量調節バルブが形成され、髪染め剤の噴射量を調節することができる。
【００３５】
本発明において、取っ手部の加圧手段は、回折ヒンジ、締結リング、締結フック、弾性部材で構成され、髪染めカンを加圧することができる。
【００３６】
また、本発明において、取っ手部の加圧手段は、収納部側の締結ねじ溝、弾性部材、加圧側の締結ねじ溝で構成され、髪染めカンを他の方式で加圧することができる。
【図面の簡単な説明】
【００３７】
【図１】本発明の第１の実施形態による髪染め用の櫛の斜視図。
【図２】本発明の第１の実施形態による髪染め用の櫛の分解斜視図。
【図３】本発明の第１の実施形態による取っ手の斜視図。
【図４】本発明の第１の実施形態による髪染め用の櫛に保護カバーを結合した状態を示す図。
【図５】本発明の第１の実施形態による加圧手段の断面図。
【図６】本発明の第２の実施形態による加圧手段の断面図。
【発明を実施するための形態】
【００３８】
以下、添付した図面を参照して本発明の好ましい実施例を詳細に説明する。本発明の説明において、関連公知機能及び構成に関する詳細な説明が本発明の要旨を不明確にするおそれがあると判断される場合はその説明は省略することにする。また、後述する用語は、本発明における機能を考慮して用いられる用語であって、こられの用語は製品を生産する生産者の意図や慣例によって異なり、用語は本明細書の全体内容に基づいて定義されなければならない。
【００３９】
一方、本発明で使用される髪染め剤は、本発明の噴射構造によって液状またはスプレー式の粉末状等、様々な形態で使用することができる。
【００４０】
（第１の実施形態）
添付の図１乃至図５を参照して本発明の第１の実施形態による髪染め用の櫛を説明する。
【００４１】
図１は、本発明の第１の実施形態による髪染め用の櫛の斜視図である。図２は、本発明の第１の実施形態による髪染め用の櫛の分解斜視図である。図３は、本発明の第１の実施形態による取っ手の斜視図である。図４は、本発明の第１の実施形態による髪染め用の櫛に保護カバーを結合した状態を示す図である。図５は、本発明の第１の実施形態による加圧手段の断面図である。
【００４２】
図示するように、第１の実施形態による髪染め用の櫛１００は、大きく分けて外櫛１２０、内櫛１３０及び取っ手部１５０で構成される。
【００４３】
外櫛１２０は、多角形または円形の中空形状に形成された外櫛側の本体１２１に外櫛側の櫛歯１２８を結合させて構成される。
【００４４】
本実施例において、外櫛側の本体１２１は四角形の中空形状に形成される。
外櫛側の本体１２１の上部外周には、外櫛側の締結孔１２２が形成された外櫛側の封止材１２５が結合される。外櫛側の締結孔１２２は、保護カバー１４６との結合時に使用され、外櫛側の封止材１２５は、軟質合成樹脂で形成され、外部に髪染め剤が漏れるのを防止する。
外櫛側の本体１２１の内周面には安着台１２７が形成され、上部内周面には固定溝１２３が形成される。安着台１２７と固定溝１２３は、内櫛１３０を外櫛１２０の内周に固定するために使用される。
【００４５】
図面では、外櫛に固定溝１２３が形成され、内櫛に固定突起１３３が形成されるように表されているが、反対に外櫛に固定突起が形成され、内櫛に固定溝が形成されるように構成することも勿論可能である。
【００４６】
外櫛側の本体１２１の下部には、頭皮保護用突起１２９が終端に形成された外櫛側の櫛歯１２８が傾くように結合されている。頭皮保護用突起１２９は、髪染め過程で髪染め剤が地肌に直接ついて頭皮が損傷することを防止するためのものである。
【００４７】
外櫛側の櫛歯１２８は、髪染め剤が外櫛側の櫛歯１２８に集まるように傾いて結合され、これは髪染め剤が外部に流れることなく、ある程度傾いて形成されて三角空間部に集まるようにし、使用時のみ頭髪に投入するためである。
【００４８】
また、外櫛側の本体１２１の一側には外周に外櫛側の固定ねじ溝１２６が形成される。外櫛側の固定ねじ溝１２６は、固定部材１５４により保護カバー１４６と結合する際に使用される。また、外櫛側の本体１２１の上部には、外櫛側の噴射棒安着溝１２４が形成され、噴射棒１５１が安着される。
【００４９】
内櫛１３０は、外櫛１２０に対応する多角形または円形の中空形状に形成された内櫛側の本体１３１に内櫛側の櫛歯１３８を結合して構成される。
【００５０】
本実施例では、外櫛側の本体１２１が四角形の中空形状に形成されるので、内櫛側の本体１３１も四角形の中空形状に形成される。
【００５１】
内櫛側の本体１３１の上部内周には内櫛側の封止材１３５が結合される。内櫛側の封止材１３５は、軟質合成樹脂で形成され、外部へ髪染め剤が漏れるのを防止する。内櫛側の本体１３１の下部には、内櫛側櫛歯１３８が傾いて結合されており、髪染め剤が内櫛側の櫛歯１３８に集まるようになる。また、内櫛側の本体１３１の上部には、内櫛側の噴射棒安着溝１３４が形成され、噴射棒１５１が安着される。
【００５２】
封止パッキング１４０は軟質の合成樹脂で形成され、前記外櫛１２０に対応して四角フレーム形状に形成される。封止パッキング１４０には、外櫛１２０の外櫛側の締結孔１２２に対応するパッキング側の締結孔１４１が形成される。
【００５３】
保護カバー１４６は、外櫛側の締結孔１２２に対応するカバー側の締結孔１４３が形成され、外櫛側の固定ねじ溝１２６に対応するカバー側の固定ねじ溝１４４が形成される。
【００５４】
取っ手部１５０は、一側には内部に髪染めカン１９０を収納することができる収納部が形成されたカン収納部１５８が形成され、他側には髪染めカン１９０から噴射された髪染め剤を噴射する噴射孔１５３が形成される。噴射孔１５３は噴射台１５２の下部に形成され、噴射台１５２は噴射棒１５１に連結されている。
【００５５】
噴射棒１５１の一端には噴射ノズル挿入溝１５７に挿入された噴射ノズル１９１から噴射される髪染め剤の噴射量を調節するための噴射量調節バルブ１５６が形成され、噴射スイッチ１５５によって髪染め剤の噴射が決定される。
【００５６】
カン収納部１５８に収納された髪染めカン１９０は外力によって加圧され、噴射ノズル１９１が押されて髪染め剤が噴射されるようになる。よって、取っ手部１５０の終端には、髪染めカン１９０を加圧する加圧手段が設けられている。
【００５７】
上記第１の実施形態による加圧手段は、カン収納部１５８に対して回折ヒンジ１６０により結合され、カン収納部１５８に対して回折可能に結合されたカン加圧部１６１が使用される。カン加圧部１６１の一端には締結リング１６２が形成され、内側面には弾性部材１６３が結合される。
【００５８】
カン収納部１５８には、締結リング１６２に対応する締結フック１５９が形成される。締結リング１６２を締結フック１５９に掛けると、弾性部材１６３が圧着されて、弾性部材１６３の弾性力によって髪染めカン１９０を加圧するようになる。
【００５９】
（組立例）
以下、上記第１の実施形態による髪染め用の櫛の組立例を説明する。
第１段階は、外櫛１２０の安着台１２７と固定溝１２３に内櫛１３０の固定突起１３３を嵌め込んで安着させる。
第２段階は、外櫛１２０の外櫛側の噴射棒安着溝１２４と内櫛１３０の内櫛側の噴射棒安着溝１３４に噴射棒１５１を安着させる。
第３段階は、外櫛１２０の外櫛側の封止材１２５上に封止パッキング１４０を位置させ、保護カバー１４６を封止パッキング１４０の上に位置させる。
第４段階は、締結部材１４５を用いて外櫛１２０、封止パッキング１４０及び保護カバー１４６を結合させる。
第５段階は、固定部材１５４を回転させて、外櫛側の固定ねじ溝１２６とカバー側の固定ねじ溝１４４に固定部材１５４を結合させる。
上記の段階により第１の実施形態に係る髪染め用の櫛１００の組み立てが完了する。一方、掃除や部品交換のために分解する場合は、上記の組み立てと逆順で行う。
【００６０】
（使用例）
以下、第１の実施形態に係る髪染め用の櫛１００の使用例を説明する。使用例を説明する前に、第１の実施形態による髪染め用の櫛１００は、上記の組立例のとおりにして組み立てが完了したものとする。
第１段階は、ユーザーは、カン収納部１５８に髪染めカン１９０を収納する。この際、髪染めカン１９０の噴射ノズル１９１は、噴射ノズルの挿入溝１５７に挿入される。
第２段階は、締結リング１６２を締結フック１５９に掛けておく。これにより、弾性部材１６３が髪染めカン１９０を加圧するようになる。
第３段階は、噴射量調節バルブ１５６を調節して噴射量を調節する。例えば、髪が長かったり、毛髪が多い場合には噴射量を増加させ、髪が短かったり、毛髪が少ない場合には噴射量を減らすことができる。
第４段階は、噴射スイッチ１５５を押す。これにより、噴射ノズル１９１から噴射された髪染め剤が噴射孔１５３を介して噴射される。
第５段階は、髪を梳かすように髪染め用の櫛１００を動かして髪の毛に髪染め剤をつける。
上記段階を通じて、第１の実施形態によれば、髪染め剤を入れるための容器が不要であり、さらに、髪染め剤を混合する段階が不要であることが分かる。また、髪を梳かすように髪染め用の櫛１００を動かすことによって簡単に髪染め作業が可能となる。
【００６１】
（第２の実施形態）
以下、添付図６を参照して本発明の第２の実施形態に係る髪染め用の櫛を説明する。
図６は、本発明の第２の実施形態による加圧手段の断面図である。図６に示すように、第２の実施形態による加圧手段は、第１の実施形態による加圧手段の構造とは異なることが分かる。
【００６２】
すなわち、第２の実施形態による髪染め用の櫛２００加圧手段は、カン収納部２５８の一側外周に収納部側の締結ねじ溝２５９が形成され、カン加圧本体２６０の内周一端に収納部側の締結ねじ溝２５９に対応する加圧側の締結ねじ溝２６２が形成されている。また、カン加圧本体２６０の内側面には、髪染めカンの底部を加圧するための弾性部材２６２が結合される。
【００６３】
このような構成を有する加圧手段は、カン加圧本体２６０を回転させて、収納部側の締結ねじ溝２５９と加圧側の締結ねじ溝２６２が結合されて、弾性部材２６１が有する弾性力を髪染めカンに伝達して加圧するようになる。
【産業上の利用可能性】
【００６４】
以上、本発明の好ましい実施形態について詳細に説明したが、本発明の権利範囲はこれに限定されず、必要に応じて当業者により、請求の範囲で定義している本発明の基本概念の範囲内で多様な変形及び改良が可能である。
【符号の説明】
【００６５】
１００、２００    髪染め用の櫛
１２０    外櫛
１２１    外櫛本体
１２２    外櫛側の締結孔
１２３    固定溝
１２４    外櫛側の噴射棒安着溝
１２５    外櫛側の封止材
１２６    外櫛側の固定ねじ溝
１２７    安着台
１２８    外櫛側の櫛歯
１２９    頭皮保護用突起
１３０    内櫛
１３１    内櫛側の本体
１３３    固定突起
１３４    内櫛側の噴射棒安着溝
１３５    内櫛側の封止材
１３８    内櫛側の櫛歯
１４０    封止パッキング
１４１    パッキング側の締結孔
１４２    カバー側の本体
１４３    カバー側の締結孔
１４５    締結部材
１４６    保護カバー
１５０    取っ手部
１５１    噴射棒
１５２    噴射台
１５３    噴射孔
１５４    固定部材
１５５    噴射スイッチ
１５６    噴射量調節バルブ
１５７    噴射ノズル挿入溝
１５８、２５８    カン収納部
１６０    回折ヒンジ
１６１    カン加圧部
１６２    締結リング
１６３    弾性部材
１９０    髪染めカン
１９１    噴射ノズル
２５９    収納部側の締結ねじ溝
２６０    カン加圧本体
２６１    弾性部材
２６２    加圧側の締結ねじ溝
【図１】
2009538174.tif 000003
【図２】
2009538174.tif 000004
【図３】
2009538174.tif 000005
【図４】
2009538174.tif 000006
【図５】
2009538174.tif 000007
【図６】
2009538174.tif 000008
【国際調査報告】
2009538174.tif 000009
2009538174.tif 000010